(57)【要約】【課題】  ヘッドの向きを簡単に変更することができると共に、それぞれの向きに強固に固定することができる、使用性に勝れた清掃具を得る。【解決手段】  ヘッド３の向きを、柄４と直交する横向位置と柄４の延出方向に沿った縦向位置とに変更可能とするため、該ヘッド３の基台１０の上面に設けた基台側連結部１２と、柄４の先端に設けた柄側連結部２３とに、相互に係合する複数の突起３５ａ，３５ｂと凹部３４ａ，３４ｂとを形成すると共に、両連結部１２，２３を固定状態に保持する螺子棒３８と、該螺子棒３８による固定を解除するためのハンドル３９とを設ける。【選択図】        図２
2005081133.tif 000002
【特許請求の範囲】
【請求項１】
一方向に細長いヘッドと、該ヘッドにおける基台の上面に斜め上方に向けて傾斜状態に取り付けられた柄とからなり、上記ヘッドが、上記柄と直交する横向位置と、該柄の延出方向に沿った縦向位置との間で、少なくともこれら２つの位置に取付位置を変更可能であり、
上記基台の上面には基台側連結部が形成され、上記柄の先端には柄側連結部が形成されていて、これらの連結部が、上記ヘッドの各取付位置において相互に係合し合う突起と凹部とからなる係合部と被係合部とを有すると共に、両連結部をこれらの係合部と被係合部とが相互に係合した状態に保持する保持手段と、ヘッドの取付位置を変更する際に該保持手段による保持を解除するための解放手段とを有する、
ことを特徴とする清掃具。
【請求項２】
上記基台側連結部の上面には、基台の長さ方向の相対する位置と幅方向の相対する位置とにそれぞれ上記突起又は凹部が形成され、また、上記柄側連結部の下面には、少なくとも前後方向の相対する位置に上記凹部又は突起が形成されており、これらの突起と凹部とによって上記が、上記第１位置と第２位置との２つの位置に取付位置を変更可能であることを特徴とする請求項１に記載の清掃具。
【請求項３】
上記基台側連結部と柄側連結部との中央部に、上記突起と凹部とが係合した状態でこれら両連結部を締着固定する螺子棒と、この螺子棒の上端に設けられて該螺子棒を回転操作するハンドルとが設けられていて、上記螺子棒が上記保持手段を形成し、上記ハンドルが上記解放手段を形成していることを特徴とする請求項２に記載の清掃具。
【請求項４】
上記基台側連結部と柄側連結部との中央部に、下端が基台側連結部に係止して上端が柄側連結部の上面に延出する引締軸と、該引締軸の上端に連結された操作用のハンドルとが設けられていて、これらの引締軸及びハンドルの一方には、上記両連結部を締着固定するカムが設けられ、このカムが上記保持手段を形成し、上記ハンドルが上記解放手段を形成していることを特徴とする請求項２に記載の清掃具。
【請求項５】
上記基台側連結部が、非回転状態で上下動自在の固定軸を有し、この固定軸は上記柄側連結部を貫通していて、この固定軸と上記柄側連結部には、上記ヘッドが各取付位置にあるとき相互に係合し合う突起と凹部とが設けられており、また、上記固定軸には、該固定軸を上記突起と凹部とが係合する方向に付勢するばねと、該固定軸を上記突起と凹部との係合が外れる方向に押圧操作するためのハンドルとが設けられていて、上記ばねが上記保持手段を形成し、上記ハンドルが上記解放手段を形成していることを特徴とする請求項１に記載の清掃具。
【発明の詳細な説明】
【技術分野】
【０００１】
本発明は清掃具に関するものである。
【背景技術】
【０００２】
この種の清掃具の一種にデッキブラシがある。このデッキブラシは、例えば特許文献１に記載されているように、一方向に細長い基台の下面に摺擦用の繊維を植設してなるヘッドと、上記基台の上面に斜め上方に向けて傾斜状態に取り付けた柄とからなっていて、厨房のフロアや浴室の床あるいはプールの底などを清掃するのに使用されている。
【０００３】
ところが、上記従来のデッキブラシは、上記ヘッドが、柄と直交する向きに取り付けられていて、その向きを変更することができないため、フロアの広い平面部分を清掃する場合には特に問題ないが、フロアに設けられている排水溝の狭い溝内をこの溝に沿ってヘッドを動かしながら清掃する場合や、排水口の周辺部分や狭い口縁部分を清掃するような場合には、非常に作業しにくいという欠点があった。
【０００４】
一方、清掃具の他の例としてモップがあり、その中でも、家屋の板張り床（フローリング）を清掃するタイプのモップ（フローリングワイパー）においては、ヘッドに対する柄の向きや角度等を自由に変更できるようになっているものもある。しかし、余り大きな力を加えないで清掃を行うこの種の清掃具においては、このように柄の向きや角度を自由に変えられる方が便利であるが、ある程度大きな力を加えて清掃するタイプの清掃具の場合には、ヘッドを必要な向きに固定できるようになっている方が好ましく、力加減で柄の向きや角度等が自由に変化すると却って使いにくいことが多い。ボルト・ナットで柄とヘッドとを異なる向きに固定できるようにすることもできるが、その都度ボルト・ナットを着脱しなければならないため、ヘッドの方向変更作業が非常に面倒である。
【特許文献１】特開平６−６２９２２号公報
【発明の開示】
【発明が解決しようとする課題】
【０００５】
本発明の課題は、ヘッドの向きを簡単に変更することができると共に、それぞれの向きに強固に固定することができる、使用性に勝れた清掃具を提供することにある。
【課題を解決するための手段】
【０００６】
上記課題を解決するため、本発明の清掃具は、一方向に細長いヘッドと、該ヘッドにおける基台の上面に斜め上方に向けて傾斜状態に取り付けられた柄とからなり、上記ヘッドが、上記柄と直交する横向位置と、該柄の延出方向に沿った縦向位置との間で、少なくともこれら２つの位置に取付位置を変更可能であり、上記基台の上面には基台側連結部が形成され、上記柄の先端には柄側連結部が形成されていて、これらの連結部が、上記ヘッドの各取付位置において相互に係合し合う突起と凹部とからなる係合部と被係合部とを有すると共に、両連結部をこれらの係合部と被係合部とが相互に係合した状態に保持する保持手段と、ヘッドの取付位置を変更する際に該保持手段による保持を解除するための解放手段とを有することを特徴とするものである。
【０００７】
本発明の具体的な構成態様によれば、上記基台側連結部の上面には、基台の長さ方向の相対する位置と幅方向の相対する位置とにそれぞれ上記突起又は凹部が形成され、また、上記柄側連結部の下面には、少なくとも前後方向の相対する位置に上記凹部又は突起が形成されており、これらの突起と凹部とによって上記が、上記第１位置と第２位置との２つの位置に取付位置を変更可能である。
【０００８】
本発明のより具体的な１つの構成態様によれば、上記基台側連結部と柄側連結部との中央部に、上記突起と凹部とが係合した状態でこれら両連結部を締着固定する螺子棒と、この螺子棒の上端に設けられて該螺子棒を回転操作するハンドルとが設けられていて、上記螺子棒が上記保持手段を形成し、上記ハンドルが上記解放手段を形成している。
【０００９】
本発明の他の具体的な他の構成態様によれば、上記基台側連結部と柄側連結部との中央部に、下端が基台側連結部に係止して上端が柄側連結部の上面に延出する引締軸と、該引締軸の上端に連結された操作用のハンドルとが設けられていて、これらの引締軸及びハンドルの一方には、上記両連結部を締着固定するカムが設けられ、このカムが上記保持手段を形成し、上記ハンドルが上記解放手段を形成している。
【００１０】
また、本発明の更に他の構成態様によれば、上記基台側連結部が、非回転状態で上下動自在の固定軸を有し、この固定軸は上記柄側連結部を貫通していて、この固定軸と上記柄側連結部には、上記ヘッドが各取付位置にあるとき相互に係合し合う突起と凹部とが設けられており、また、上記固定軸には、該固定軸を上記突起と凹部とが係合する方向に付勢するばねと、該固定軸を上記突起と凹部との係合が外れる方向に押圧操作するためのハンドルとが設けられていて、上記ばねが上記保持手段を形成し、上記ハンドルが上記解放手段を形成している。
【発明の効果】
【００１１】
本発明によれば、清掃具のヘッドの向きを変更可能としたことにより、フロアなどの広い面部分はもちろんのこと、角隅部や隙間など狭い部分であっても、それに合わせてヘッドの向きを変えることによって確実に清掃することができる。しかも、基台側連結部と柄側連結部とに、相互に係合し合う突起と凹部を設けると共に、これらの突起と凹部とを係合状態に保持する保持手段と、該保持手段による係合を解除するための解放手段とを設けたことにより、ヘッドの向きを簡単に変更することができるだけでなく、各ヘッドの向きで該ヘッドと柄とを強固に固定することができる。
【発明を実施するための最良の形態】
【００１２】
図は本発明に係る清掃具の一例としてデッキブラシを示すもので、図１〜図４は第１実施例である。この第１実施例のデッキブラシ１Ａは、ブラシヘッド３と、このブラシヘッド３に取付方向を変更可能なるように取り付けられた柄４とからなっている。
【００１３】
上記ブラシヘッド３は、一方向に細長い実質的に矩形形状をした基台１０の下面に、合成樹脂製の多数の繊維１１を植設して形成したもので、これらの繊維１１の毛先の集まりによって、上記基台１０よりも周囲に広がった面積の広い平らな毛先面１１ａが形成されている。しかし、この毛先面１１ａは、波形に形成されていても良い。また、上記繊維１１は、厨房のフロアや浴室の床あるいはプールの底などを大きな力を加えてゴシゴシと擦り洗いするものであるため、それに耐え得るだけの腰の強さと剛弾性とを備えた硬質の繊維１１であることが望ましい。なお、上記基台１０は木製又は合成樹脂製である。
【００１４】
一方、上記柄４は、木棒又は合成樹脂パイプあるいは金属パイプ等からなる直棒状の柄本体２０と、この柄本体２０を上記ブラシヘッド３に取り付けるための取付部材２１とからなっていて、この取付部材２１を介して上記基台１０の上面に、該基台１０から斜め上方に向けて傾斜状態に延出するように取り付けられている。
【００１５】
上記ブラシヘッド３は、柄４に対する取付位置を、該ブラシヘッド３の長さ方向の軸線が柄４の軸線と直交する図１の横向位置と、この横向位置とは９０度異なる、上記ブラシヘッド３の長さ方向の軸線と柄４の軸線とが同一鉛直面内に位置する縦向位置、換言すれば、該ブラシヘッド３が柄４の延出方向を向く縦向位置との、２つの位置に変更することができ、かつ、上記何れの取付位置においても、該ブラシヘッド３と上記柄４とに設けた係合部と非係合部との係合により、清掃作業時の大きな操作力が作用した場合でも柄４に対して取付位置が不変の状態に固定できるようになっており、このため該ブラシヘッド３と柄４とは、以下に述べるような方法で連結されている。
【００１６】
即ち、上記ブラシヘッド３の基台１０の上面中央部には、基台側連結部１２が形成されていて、この基台側連結部１２には、図３から分かるように、連結中心Ｌを挟んで基台１０の幅方向に相対する位置に、２つの円形をした窪みからなる凹部３４ａ，３４ａが形成されており、また、長さ方向に相対する位置にも、２つの円形をした窪みからなる凹部３４ｂ，３４ｂが形成されている。従って、４つの凹部３４ａ，３４ａ，３４ｂ，３４ｂが上記連結中心Ｌの回りに形成されていることになる。また、相対する２つの凹部３４ａ，３４ａ及び３４ｂ，３４ｂ間の間隔は、両方向とも同じである。
【００１７】
また、上記柄４の先端の取付部２１は、合成樹脂からなるもので、上記柄本体２０の先端を挿入して接続するための筒状の接続部２２と、上記ブラシヘッド３の基台側連結部１２に連結するための柄側連結部２３とを有している。円盤形に形成されたこの柄側連結部２３の下面には、連結中心Ｌに対して前後方向（柄４の延出方向）及び左右方向（柄４と直角方向）の相対する位置に、上記凹部間の間隔と同じ間隔でそれぞれ２つの短円柱状をした突起３５ａ，３５ａ及び３５ｂ，３５ｂ（３５ｂの図示は省略されている）が形成されている。そして、これらの突起を、上記４つの凹部３４ａ，３４ａ及び３４ｂ，３４ｂに選択的に嵌合させることにより、ブラシヘッド３を柄４と直交する横向位置と柄４に沿った縦向位置との２つの位置に選択的に固定することができるようになっている。上記突起は、必ずしも４つ設ける必要はなく、少なくとも前後方向に２つ設けてあれば良い。
【００１８】
なお、以下の各実施例の説明において、２組の突起３５ａ，３５ａと３５ｂ，３５ｂ、及び２組の凹部３４ａ，３４ａと３４ｂ，３４ｂを、それぞれ区別して表示する必要があるとき以外は、突起には代表符号「３５」を付し、凹部には代表符号「３４」を付して説明するものとする。
【００１９】
上記ブラシヘッド３と柄４とを各取付位置に固定できるようにするため、上記基台側連結部１２と柄側連結部２３との中央部には、ねじ挿通孔３６とねじ孔３７とが設けられ、ハンドル３９を上端に備えた螺子棒３８が、上記柄側連結部２３のねじ挿通孔３６を通じて基台側連結部１２のねじ孔３７にねじ付けられている。そして、上記ハンドル３９を回転操作することにより螺子棒３８を締め込み、該ハンドル３９の下面で柄側連結部２３を押圧することにより、上記基台側連結部１２と柄側連結部２３とを突起３５が凹部３４に嵌合した状態に固定することができる。
【００２０】
また、上記ブラシヘッド３の向きを変えるときは、上記ハンドル３９を逆回転させて螺子棒３８を緩めることにより、図４に示すように、柄側連結部２３を持ち上げて突起３５を凹部３４から引き出すことができるから、その状態で上記ブラシヘッド３を９０度回転させ、上記突起を異なる向きの凹部に嵌合させたあと、上記螺子棒３８を締め付けて両連結部１２，２３を固定する。
【００２１】
従って、上記突起３５と凹部３４とが、ブラシヘッド３と柄４とを各取付位置に固定するための係合部と被係合部とを形成し、上記螺子棒３８が、両連結部１２，２３を連結状態に保持するための保持手段を構成し、上記ハンドル３９が、この螺子棒３８による固定状態への保持を解除するための解放手段を構成している。
【００２２】
上記構成を有するデッキブラシ１Ａで、厨房のフロアや浴室の床あるいはプールの底などの比較的に広い面部分を清掃するときは、図１に示すように、ブラシヘッド３を柄４と直交する横向位置に取り付け、その状態で清掃を行う。これは通常のデッキブラシと同じである。このとき、上記柄４とブラシヘッド３とは、柄側連結部２３の突起３５が基台側連結部１２の凹部３４に嵌合して固定されるため、ブラシヘッド３の向きが変化する方向に対しても、柄４の傾斜角度が変化する方向に対しても、非常に強固に固定された状態となっている。このため、上記ブラシヘッド３を非常に強い力で清掃対象に押し付けて清掃しても、柄４の傾斜角度が変化したり、ブラシヘッド３の向きが変わることがない。
【００２３】
また、フロアに設けられている排水溝の狭い溝内を清掃する場合や、排水口の周辺部分や狭い口縁部分等を清掃する場合には、上記ブラシヘッド３を、上記横向位置から９０度異なる縦向位置に変更し、その状態で清掃を行う。
【００２４】
この第１実施例の変形例として、上記突起３５を基台側連結部１２に設け、凹部３４を柄側連結部２３に設けても良く、あるいは、これらの突起３５と凹部３４との形状を、直線状又は円弧状に形成することも、連続した円環状に形成することもできる。
【００２５】
図５〜図７は本発明の第２実施例を示すもので、この第２実施例のデッキブラシ１Ｂは、保持手段と解放手段の構成が上記第１実施例と相違している。即ち、基台側連結部１２と柄側連結部２３との中央部には、下端部外周にカム４２を備えた引締軸４１が両連結部１２，２３を貫通するように設けられていて、下端のカム４２が、基台側連結部１２の中心孔の孔壁に形成されたカム受け４３に当接し、該引締軸４１の上端には回転操作用のハンドル４４が設けられている。
【００２６】
そして、該ハンドル４４で上記引締軸４１を回転させ、上記カム４２との作用で上記基台側連結部１２と柄側連結部２３とを相互に締め付けることにより、ブラシヘッド３と柄４とを所定の向きに固定することができる。ブラシヘッド３の向きを変えるときは、上記ハンドル４４を回転させてカム４２を緩めることにより、図７に示すように、柄側連結部２３を持ち上げて突起３５を凹部３４から引き出すことができるから、その状態でブラシヘッド３を９０度回転させ、突起３５を異なる向きの凹部３４に嵌合させたあと、再びカム４２の作用で両連結部１２，２３を締め付ければ良い。
【００２７】
従って、上記カム４２が両連結部１２，２３を連結状態に保持するための保持手段を構成し、上記ハンドル４４が解放手段を構成している。
この第２実施例のその他の構成や好ましい変形例などは、上記第１実施例の場合と実質的に同じである。
【００２８】
図８〜図１０は本発明の第３実施例を示すもので、この第３実施例のデッキブラシ１Ｃは、ブラシヘッド３と柄４との連結構造が上記各実施例と相違している。即ち、上記ブラシヘッド３の基台１０の上面には、強度の大きいプレート４７がねじ４８で固定され、このプレート４７に、被係合部となる４つの凹部３４と中心孔４９とを有する基台側連結部１２が形成されている。上記凹部３４の形状及び配置は上記第１実施例の場合と同じである。
【００２９】
一方、円形をした柄側連結部２３には、その下面中央部に下向きに延びる中心軸５１が設けられると共に、この中心軸５１を取り囲むように係合部を構成する４つの突起３５が形成されている。そして、上記中心軸５１の中空部には引締軸４１が摺動自在なるように挿通され、該引締軸４１の下端部には、上記中心軸５１と相対するように係止軸５１ａが嵌合し、該引締軸４１の下端のナット４１ａに係止して抜止状態に保持されている。この係止軸５１ａは、上記プレート４７の中心孔４９に嵌合し、下端のフランジ状係止部５１ｂが該プレート４７の下面に係止している。また、上記引締軸４１の上端には、湾曲した棒状のハンドル４４が支軸５２で回動自在に連結されている。
【００３０】
上記ハンドル４４の先端にはカム４２が形成されていて、該ハンドル４４を図９の固定位置に回動させたときは、上記カム４２が柄側連結部２３の上面のカム受け４３を押圧することにより、上記柄側連結部２３が押し下げられ、上記中心軸５１が係止軸５１ａに当接すると共に、突起３５が凹部３４に嵌合した状態となり、該柄側連結部２３と基台側連結部１２とが固定される。また、上記ハンドル４４を図１０に示す非固定位置に回動させると、上記カム４２による押圧が解除されるため、柄側連結部２３を持ち上げて突起３５を凹部３４から引き出すことができる。従って、その状態でブラシヘッド３を９０度回転させ、突起３５を異なる向きの凹部３４に嵌合させたあと、上記ハンドル４４を固定位置に回動させることにより、ブラシヘッド３を異なる向きに固定することができる。
【００３１】
従って、上記カム４２が引締軸４１と共に保持手段を構成し、上記ハンドル４４が解放手段を構成している。その他の構成及び作用あるいは好ましい変形例などは、上記第１実施例と実質的に同じである。
【００３２】
図１１及び図１２は本発明の第４実施例を示すもので、この第４実施例のデッキブラシ１Ｄが上記第３実施例のデッキブラシ１Ｃと異なる点は、起倒させる方式の上記ハンドル４４に変えて、回転式のハンドル５４を用いた点である。即ち、引締軸４１の上端から横向に延びる上記ハンドル５４を、柄側連結部２３に形成した空間部５５内で正逆方向に回転させることにより、該ハンドル４４の下面に形成したカム４２で上記柄側連結部２３を押圧したり解放したりするようになっている。その他の構成及び作用は第３実施例と実質的に同じであるから、主要な同一構成部分に第３実施例と同じ符号を付してその説明は省略する。
【００３３】
図１３及び図１４は本発明の第５実施例を示すもので、この第５実施例のデッキブラシ１Ｅは、ブラシヘッド３と柄４との連結構造が上記各実施例と相違している。即ち、ブラシヘッド３の基台１０の上面には、強度の大きいプレート６０がねじ６６で固定され、このプレート６０に、円柱状をした基台側連結部１２が形成されている。この基台側連結部１２は、その側面のほぼ半周にわたって開口する横孔６１を有すると共に、該連結部１２の中央位置に、非回転状態で上下動自在の固定軸６２を有し、この固定軸６２の外周に４つの突起３５が９０度間隔で設けられている。
【００３４】
一方、柄側連結部２３は、円盤形をしていて、基台側連結部１２の上記横孔６１内に嵌合し、その中心孔６３内を上記固定軸６２が貫通している。そして、この柄側連結部２３の下面には、上記中心孔６３の回りに、上記突起３５と嵌合し合う４つの凹部３４が９０度間隔で形成されている。また、上記固定軸６２には、該固定軸６２を上向き即ち上記突起３５と凹部３４とが係合する方向に付勢するばね６４と、該固定軸６２を上記突起３５と凹部３４との係合が外れる方向に押圧操作するための上端のハンドル６５とが設けられている。
【００３５】
そして、この第５実施例のデッキブラシ１Ｅにおいては、上記ばね６４によって固定軸６２が上向きに付勢されることにより該固定軸６２の突起３５と柄側連結部２３の凹部３４とが係合し、ブラシヘッド３が各取付位置に固定される。上記ブラシヘッド３の向きを変えるときは、上記ハンドル６５を押して固定軸６２をばね６４の付勢力に抗して押し下げると、上記突起３５が凹部３４から外れるため、その状態でブラシヘッド３を９０度回転させたあと、ハンドル６５の押し下げを解除して固定軸６２を上昇位置に復帰させることにより、上記ブラシヘッド３を上記新たな向きに固定することができる。
【００３６】
なお、上記各実施例においては、ブラシヘッド３が、９０度異なる取付位置、即ち横向位置と縦向位置との２つの位置に取付位置を変更できるようになっているが、上記突起及び凹部の数を増やすことによって変更できる取付位置の数を増やすことも可能である。
【００３７】
また、本発明を適用できる清掃具は、実施例に示したようなデッキブラシに限定されるものではなく、基台に雑巾や糸束あるいは拭取シート等を取り付けた通常のモップや、ガラスに付着したり床面状に溜まった水を弾性ヘラで除去する水切りワイパー等であっても良いことは、改めて言うまでもないことである。
【図面の簡単な説明】
【００３８】
【図１】本発明の第１実施例を示す斜視図で、ヘッドを横向位置に固定した状態を示すものである。
【図２】図１の断面図である。
【図３】第１実施例における基台側連結部の平面図である。
【図４】図２において柄とヘッドとの係合を解除した状態を示す断面図である。
【図５】本発明の第２実施例を示す斜視図で、ヘッドを横向位置に固定した状態を示すものである。
【図６】図５の断面図である。
【図７】図６において柄とヘッドとの係合を解除した状態を示す断面図である。
【図８】本発明の第３実施例を示す斜視図で、ヘッドを横向位置に固定した状態を示すものである。
【図９】図８の断面図である。
【図１０】図９において柄とヘッドとの係合を解除した状態を示す断面図である。
【図１１】本発明の第４実施例を示す斜視図で、ヘッドを横向位置に固定した状態を示すものである。
【図１２】図１１の断面図である。
【図１３】本発明の第５実施例を示す斜視図で、ヘッドを横向位置に固定した状態を示すものである。
【図１４】図１３の断面図である。
【符号の説明】
【００３９】
１Ａ，１Ｂ，１Ｃ，１Ｄ，１Ｅ      デッキブラシ
２      ヘッド
３      柄
１０      基台
１２      基台側連結部
２３      柄側連結部
３４ａ，３４ｂ    凹部
３５ａ，３５ｂ    凸部
３８    螺子棒
３９，４４，５４，６５    ハンドル
４１    引締軸
４２    カム
６２    固定軸
６４    ばね
【図１】
2005081133.tif 000003
【図２】
2005081133.tif 000004
【図３】
2005081133.tif 000005
【図４】
2005081133.tif 000006
【図５】
2005081133.tif 000007
【図６】
2005081133.tif 000008
【図７】
2005081133.tif 000009
【図８】
2005081133.tif 000010
【図９】
2005081133.tif 000011
【図１０】
2005081133.tif 000012
【図１１】
2005081133.tif 000013
【図１２】
2005081133.tif 000014
【図１３】
2005081133.tif 000015
【図１４】
2005081133.tif 000016